(57)【要約】【課題】  手元供養に適しながらも手元からの落下が抑制された骨つぼを提供する。【解決手段】  骨つぼ１は、開口２１を形成する本体側当接面２２を有するつぼ状の本体２と、開口２１を封止するために本体側当接面２２と当接される封止側当接面３１を有する第１面３ａと、第１面３ａと略対向し略球面を有する第２面３ｂと、を有する封止部３と、を備えている。封止部３の開口２１と略平行な方向における両端には、封止側当接面３１の内周面側を残しながら外周面側が切り欠かれた一対の切欠き部３２がそれぞれ形成されている。【選択図】図１
2020025619.tif 000002
【特許請求の範囲】
【請求項１】
開口を形成する本体側当接面を有するつぼ状の本体と、
前記開口を封止するために前記本体側当接面と当接される封止側当接面を有する第１面と、前記第１面と略対向し略球面を有する第２面と、を有する封止部と、
を備え、
前記封止部の前記開口と略平行な方向における端部には、前記封止側当接面の内周面側を残しながら外周面側が切り欠かれた一対の切欠き部が形成されていることを特徴とする骨つぼ。
【請求項２】
前記本体及び前記封止部は、中空の略球形状の骨つぼ部材を切断することにより形成されることを特徴とする請求項１に記載の骨つぼ。
【請求項３】
請求項１又は２に記載の骨つぼを載置するための載置台であって、
支持台と、
前記支持台から上方に突出し、前記一対の切欠き部にそれぞれ挿入される一対の突出部と、
を備えたことを特徴とする載置台。
【請求項４】
前記一対の突出部の形状は、前記一対の切欠き部の形状にそれぞれ対応していることを特徴とする請求項３に記載の載置台。
【発明の詳細な説明】
【技術分野】
【０００１】
本発明は、手元供養に適しながらも手元からの落下が抑制された骨つぼに関する。
【背景技術】
【０００２】
従来より、手元供養を行うために、アルミニウム合金から形成され、写真を装着することのできる骨つぼが知られている。（例えば、特許文献１参照）。
【先行技術文献】
【特許文献】
【０００３】
【特許文献１】実用新案登録第３１５８５１７号
【発明の概要】
【発明が解決しようとする課題】
【０００４】
ところで、手元供養用の骨つぼは、手元や膝元において抱きやすい球形状等の流線形状であることが好まれているが、その場合、手元から滑って落下・破損してしまうおそれがある。
【０００５】
そこで、本発明は、手元供養に適しながらも手元からの落下が抑制された骨つぼを提供することを目的としている。
【課題を解決するための手段】
【０００６】
本発明は、開口を形成する本体側当接面を有するつぼ状の本体と、前記開口を封止するために前記本体側当接面と当接される封止側当接面を有する第１面と、前記第１面と略対向し略球面を有する第２面と、を有する封止部と、を備え、前記封止部の前記開口と略平行な方向における端部には、前記封止側当接面の内周面側を残しながら外周面側が切り欠かれた一対の切欠き部が形成されていることを特徴とする骨つぼを提供している。
【０００７】
このような構成によれば、封止部を下側にした状態で切欠き部に指を挿入して持ち上げることができるので、封止部の第２面が略球形状を有していても、骨つぼが手元から滑って落下・破損してしまうことが抑制される。また、切欠き部を形成するに当たり、封止側当接面の内周面側は残すように形成されるので、本体側当接面と封止側当接面とが当接するように接着等された後は、収納部内に収納された遺骨の流出防止も確保されている。
【０００８】
また、前記本体及び前記封止部は、中空の略球形状の骨つぼ部材を切断することにより形成されることが好ましい。
【０００９】
このような構成によれば、手元や膝元において抱きやすく落下しにくい略球形状の骨つぼを容易な工程で製造することが可能となる。
【００１０】
また、上記骨つぼを載置するための載置台であって、支持台と、前記支持台から上方に突出し、前記一対の切欠き部にそれぞれ挿入される一対の突出部と、を備えた載置台を提供している。
【００１１】
このような構成によれば、指を挿入するために形成された切欠き部を更に利用して、手元や膝元で抱いていないときには、骨つぼを安定した状態で載置することができるので、骨つぼが転がって破損等が生じることが抑制される。
【００１２】
また、前記一対の突出部の形状は、前記一対の切欠き部の形状にそれぞれ対応していることが好ましい。
【００１３】
このような構成によれば、手元や膝元で抱いていないときには、より安定した状態で骨つぼを載置することが可能となる。
【発明の効果】
【００１４】
本発明の骨つぼによれば、手元供養に適しながらも手元からの落下が抑制される。
【図面の簡単な説明】
【００１５】
【図１】本発明の実施の形態による骨つぼの正面図
【図２】本発明の実施の形態による本体の斜視図
【図３】本発明の実施の形態による封止部の斜視図
【図４】本発明の実施の形態による骨つぼの製造工程のフローチャート
【図５】本発明の変型例による載置台の説明図
【発明を実施するための形態】
【００１６】
以下、本発明の実施の形態による骨つぼ１について、図１−図４を参照して説明する。
【００１７】
図１に示すように、骨つぼ１は、本体２と、封止部３と、を備えている。本実施の形態では、骨つぼ１（骨つぼ部材１０）は、陶器、磁器等により形成されており、本体２と封止部３とが組み合わされることで、略楕円球形状を有するものとする。
【００１８】
本体２は、図１及び図２に示すように、横長のつぼ状の部材であって、開口２１を形成する本体側当接面２２を有している。本体２の内部には、収納部２３が形成されており、開口２１を介して遺骨を収納することが可能な構成となっている。収納部２３は、遺骨を収納可能なサイズを有し、開口２１は、収納部２３内に遺骨を挿通可能なサイズを有している。
【００１９】
封止部３は、図３に示すように、開口２１を封止するために本体側当接面２２と当接される封止側当接面３１を有する第１面３ａと、第１面３ａと略対向し略球面を有する第２面３ｂと、を有している。
【００２０】
また、封止部３の開口２１と略平行な方向（以下、第１の方向Ｘ）における両端には、一対の切欠き部３２がそれぞれ形成されている。この切欠き部３２は、封止側当接面３１の内周面側を残しながら外周面側が切り欠かれており、人間の指が数本入る程度のサイズを有している。
【００２１】
ここで、骨つぼ１は、略球形状を有しているため、持ち上げる際等に手元から滑って落下・破損してしまうおそれがある。
【００２２】
しかしながら、本実施の形態による骨つぼ１は、切欠き部３２が形成されているため、封止部３を下側にした状態で切欠き部３２に指を数本挿入して持ち上げることで、手元から滑って落下・破損してしまうことが抑制される。また、切欠き部３２を形成するに当たり、封止側当接面３１の内周面側は残すように形成されるので、本体側当接面２２と封止側当接面３１とが当接するように接着等された後は、収納部２３内に収納された遺骨の流出防止も確保されている。
【００２３】
続いて、図４を用いて、骨つぼ１の製造工程の一例について説明する。
【００２４】
まず、略球形状を有する中空の骨つぼ部材１０を切断して、本体２と封止部３に分離する（Ｓ１）。従って、この製造工程の場合、切断面が、それぞれ、本体側当接面２２及び封止側当接面３１を形成することになる。
【００２５】
そして、封止部３の第１の方向Ｘにおける両端に、封止側当接面３１の内周面側を残しながら外周面側を切り欠くことで、一対の切欠き部３２をそれぞれ形成する（Ｓ２）。これにより、遺骨を収納する前段階の骨つぼ１が完成する。
【００２６】
続いて、開口２１を介して収納部２３内に遺骨を収納する（Ｓ３）。
【００２７】
最後に、本体側当接面２２と封止側当接面３１とを接着剤等で接着させることで（Ｓ４）、手元や膝元において抱きやすい略球形状を有する骨つぼ１が完成する。なお、本実施の形態による骨つぼ１は、本体側当接面２２と封止側当接面３１とを接着剤等で接着させた（Ｓ４）後は、封止部３を下側にした状態で使用することが好ましい。
【００２８】
以上説明したように、本実施の形態による骨つぼ１では、封止部３の第１の方向Ｘにおける両端部分には、封止側当接面３１の内周面側を残しながら外側外周面が切り欠かれた一対の切欠き部３２がそれぞれ形成されている。
【００２９】
このような構成によれば、封止部３を下側にした状態で切欠き部３２に指を挿入して持ち上げることができるので、封止部３の第２面３ｂが略球形状を有していても、骨つぼ１が手元から滑って落下・破損してしまうことが抑制される。また、切欠き部３２を形成するに当たり、封止側当接面３１の内周面側は残すように形成されるので、本体側当接面２２と封止側当接面３１とが当接するように接着等された後は、収納部２３内に収納された遺骨の流出防止も確保されている。
【００３０】
また、本実施の形態による骨つぼ１では、本体２及び封止部３は、中空の略球形状の骨つぼ部材１０を切断することにより形成される。
【００３１】
このような構成によれば、手元や膝元において抱きやすく落下しにくい略球形状の骨つぼ１を容易な工程で製造することが可能となる。
【００３２】
尚、本発明の骨つぼは、上述した実施の形態に限定されず、特許請求の範囲に記載した範囲で種々の変形や改良が可能である。
【００３３】
例えば、上記実施の形態では、封止部３の第２面３ｂは略球面を有しているため、そのままの状態で置いておくと、転がって破損等が生じるおそれがある。そこで、図５に示すように、骨つぼ１を載置するための載置台４を更に備えてもよい。
【００３４】
載置台４は、支持台４１と、支持台４１から上方に突出し、骨つぼ１の一対の切欠き部３２にそれぞれ挿入される一対の突出部４２と、を備えている。
【００３５】
このような構成によれば、指を挿入するために形成された切欠き部３２を更に利用して、手元や膝元で抱いていないときには、骨つぼ１を安定した状態で載置することができるので、骨つぼ１が転がって破損等が生じることが抑制される。
【００３６】
また、図５に示すように、一対の突出部４２の形状は、一対の切欠き部３２の形状にそれぞれ対応していることが好ましい。これにより、手元や膝元で抱いていないときには、より安定した状態で骨つぼ１を載置することが可能となる。
【００３７】
また、上記実施の形態では、骨つぼ１は、略楕円球形状を有していたが、必ずしも全体が略球形状を有していなくても、少なくとも封止部３の第２面３ｂが略球形状を有していればよい。
【００３８】
また、上記実施の形態では、骨つぼ１は、落下による影響の大きい陶器、磁器等により形成されていたが、金属等の他の材料によって形成されている場合であっても、落下の影響は多少なりともあるので、本発明は、他の材料で形成される場合を除外するものではない。なお、骨つぼ１が陶器や磁器等で形成された場合には、庭等に載置しておき、そのまま自然回帰させることも可能である。
【００３９】
また、骨つぼ１のサイズは、様々なものが考えられ、例えば、遺骨を粉末状にした場合には、小さめのサイズにすることも可能である。
【００４０】
また、上記実施の形態では、骨つぼ部材１０を切断したことにより、本体２と封止部３とを形成したが、それぞれを個別に製造してもよい。
【００４１】
また、上記実施の形態では、骨つぼ部材１０を直線的に切断したが、図５に示すように、曲線的に切断してもよい。この場合には、切断された本体２と封止部３を組み合わせた際のフィット感を増加させることが可能となる。
【００４２】
また、上記実施の形態では、一対の切欠き部３２は、封止部３の第１の方向Ｘにおける両端に形成されたが、両端に限定されず、端部に形成されていればよい。
【００４３】
また、上記実施の形態では、封止部３には、中空の一部が含まれていたが、必ずしも含まれていなくてもよい。この場合であっても、本体側当接面２２と当接される部分が封止側当接面３１に相当することになる。
【符号の説明】
【００４４】
１      骨つぼ
２      本体
３      封止部
３ａ    第１面
３ｂ    第２面
４      載置台
１０    骨つぼ部材
２１    開口
２２    本体側当接面
２３    収納部
３１    封止側当接面
３２    切欠き部
４１    支持台
４２    突出部
【図１】
2020025619.tif 000003
【図２】
2020025619.tif 000004
【図３】
2020025619.tif 000005
【図４】
2020025619.tif 000006
【図５】
2020025619.tif 000007